(57)【要約】【課題】本考案は、単管パイプの外部足場や仮設上屋の使用に適した養生シートであって、軽量性、防水性、取り扱いの容易性および耐摩擦性に優れた養生シートを提供することを目的とする。【解決手段】結束紐が挿通される複数個の第１の結束用リングが外周縁に沿って穿設される矩形の養生シートと、前記養生シートと略同一の大きさに形成され、結束紐が挿通される複数個の第２の結束用リングが外周縁に沿って穿設される矩形のメッシュシートと、からなり、前記第１の結束用リングと前記第２の結束用リングは、その大きさおよび穿設間隔が略同一であって、前記養生シートと前記メッシュシートとは重ね合わされて一体とされる構成とした。【選択図】図１
0003121475.tif 000002
【実用新案登録請求の範囲】
【請求項１】
結束紐が挿通される複数個の第１の結束用リングが外周縁に沿って穿設される矩形の養生シートと、
前記養生シートと略同一の大きさに形成され、結束紐が挿通される複数個の第２の結束用リングが外周縁に沿って穿設される矩形のメッシュシートと、からなり、
前記第１の結束用リングと前記第２の結束用リングは、その大きさおよび穿設間隔が略同一であって、前記養生シートと前記メッシュシートとは重ね合わされて一体とされる、ことを特徴とする養生シートとメッシュシートの複合シート。
【請求項２】
前記メッシュシートは、複数枚の同形のメッシュシートからなり相互に前記第２の結束用リングに挿通される結束紐により結束されて前記養生シートと略同一の大きさに形成された組合せメッシュシートである、ことを特徴とする請求項１に記載の養生シートとメッシュシートの複合シート。
【請求項３】
前記養生シートと前記メッシュシートまたは前記組合せメッシュシートは、前記第１の結束用リングと前記第２の結束用リングに挿通される結束紐により結束されて一体とされる、ことを特徴とする請求項１または請求項２に記載の養生シートとメッシュシートの複合シート。
【請求項４】
前記養生シートと前記メッシュシートまたは前記組合せメッシュシートは、前記第１の結束用リングと前記第２の結束用リングが互いに嵌合することにより一体とされる、ことを特徴とする請求項１または請求項２に記載の養生シートとメッシュシートの複合シート。
【請求項５】
前記養生シートの外周縁と前記メッシュシートまたは前記組合せメッシュシートの外周縁には、雌型、雄型からなる一対の係止具が取着され該一対の係止具が互いに係着することにより一体とされる、ことを特徴とする請求項１ないし請求項４のいずれかに記載の養生シートとメッシュシートの複合シート。
【請求項６】
前記一対の係止具はスナップ、ホック、ボタンとボタンホールおよび面ファスナーからなるグループから選択される少なくとも１つである、ことを特徴とする請求項５に記載の養生シートとメッシュシートの複合シート。
【考案の詳細な説明】
【技術分野】
【０００１】
本考案は、建設現場の仮囲いや資材等の養生用に使用されるシートに関する。
【背景技術】
【０００２】
建築現場や土木現場の仮囲い、資材等の養生用で使用される養生シートには、通称ブルーシートと呼ばれるポリエチレン樹脂フィルム等から作られたシートが使われる。このブルーシートは、軽量性、防水性、取り扱いの容易性において優れていることから、建築、土木の建設現場には欠かせない資材となっていて、たとえば、実用新案登録第３１０８２６４号公報に開示の考案では、一般住宅や小規模ビルの基礎工事における布基礎コンクリートの天端に施工されるレベリング材を養生する際に使用する「ブルーシート」の取付け構造を提案している。
【０００３】
また、一般住宅や小規模ビル等の建築工事では、単管パイプで組んだ仮設足場（以下「単管足場」という。）にブルーシートを張って覆いし、あるいは建築中の家屋に雨が吹き込むのを防ぐためや雨天でも工事を進めるために、単管パイプで組んだ仮設上屋（以下「単管上屋」という。）にこのブルーシートを張って屋根とすることもおこなわれる。
【０００４】
ところが、ブルーシートは摩擦には弱く、単管足場や単管上屋にブルーシートを張った場合には、風にあおられて単管パイプの小口と擦れたり、単管パイプを組み立てる際に使用されるクランプ金具の角と擦れたりすることにより、ブルーシートは簡単に破れてしまう。
そのため、帆布製の天幕シートをブルーシート代わりに使用する場合もあるが、天幕シートはブルーシートに比べると重く、また、防水性も劣ることから雨等の水分を吸うとさらに重くなり、その取り扱いが難しい面がある上に、ブルーシートに比べると耐摩擦性はやや優れているものの、単管パイプの小口やクランプ金具の角と擦れたりすると破れることも多い。
【０００５】
また、一般住宅やビルの建築工事で使用されるシートに、ポリエチレン樹脂等から作られた繊維をメッシュ状にしたメッシュシートがある。このメッシュシートは耐摩擦性にも優れ、かつ、軽量でもあるので、建築工事における外部足場の覆いとして使用されるが、その目的は主として建築工事現場から発生する埃等の外部への飛散防止や目隠しを目的とするものであり、メッシュ状であるため防水性はまったくなく、仮設屋根に使用することはできない。
【０００６】
建築工事用仮設屋根の考案として、実開平７−２５１５０号公報に開示のものがある。この考案は、「取り付け・取り外しが容易で、且つ各横幅寸法の足場建枠に対応可能な建築工事用仮設屋根を提供する」ことを目的とし、「建築工事用仮設屋根は、周辺部に取付穴が複数穿設された養生シートと、該養生シートの取付穴を挿通するロック付き突起及び金具取付穴が複数連設され最上段の各足場建枠の上方に取り付けられる梁枠材と、該梁枠材の前記金具取付穴の一つと回動自在にネジ止めされる取付部が摺動自在に連結した二本の支柱の一端に配設されるとともに他端には足場建枠に締着される単クランプが回動自在に取り付けられた第一の取付金具と、前記梁枠材の他の金具取付穴と回動自在にネジ止めされる取付部が一端に配設されるとともに他端が前記最上段の各足場建枠の支柱上端のジョイント部に取り付けられる第二の取付金具と、前記各梁枠材を繋ぐ梁及び交叉筋かいと、から構成される」ことにより、その目的を達成しようとするものである。
【特許文献１】実用新案登録第３１０８２６４号公報
【特許文献２】実開平７−２５１５０号公報
【考案の開示】
【考案が解決しようとする課題】
【０００７】
しかしながら、実開平７−２５１５０号公報に開示された考案は、外部足場に枠組み足場を使用した場合を対象とするものであり、専用の梁枠材を必要とする上、最上段の枠組み足場の建枠上部に取り付けるため、ビル等の外壁部の仕上げ作業用としてのみ効果を奏するものである。したがって、単管パイプの仮設用上屋の使用に適した考案ではない。
【０００８】
そこで、本考案は、単管パイプで組み立てられる外部足場や仮設用上屋の使用に適した養生シートであって、軽量性、防水性、取り扱いの容易性および耐摩擦性に優れた養生シートを提供することを目的とする。
【課題を解決するための手段】
【０００９】
上記課題を解決するために、本願請求項１に係る養生シートとメッシュシートの複合シートは、結束紐が挿通される複数個の第１の結束用リングが外周縁に沿って穿設される矩形の養生シートと、前記養生シートと略同一の大きさに形成され、結束紐が挿通される複数個の第２の結束用リングが外周縁に沿って穿設される矩形のメッシュシートと、からなり、前記第１の結束用リングと前記第２の結束用リングは、その大きさおよび穿設間隔が略同一であって、前記養生シートと前記メッシュシートとは重ね合わされて一体とされる、ことを特徴している。
また、本願請求項２に係る養生シートとメッシュシートの複合シートは、請求項１に記載の養生シートとメッシュシートの複合シートであって、前記メッシュシートは、複数枚の同形のメッシュシートからなり相互に前記第２の結束用リングに挿通される結束紐により結束されて前記養生シートと略同一の大きさに形成された組合せメッシュシートである、ことを特徴としている。
そして、本願請求項３に係る養生シートとメッシュシートの複合シートは、請求項１または請求項２に記載の養生シートとメッシュシートの複合シートであって、前記養生シートと前記メッシュシートまたは前記組合せメッシュシートは、前記第１の結束用リングと前記第２の結束用リングに挿通される結束紐により結束されて一体とされる、ことを特徴としている。
さらに、本願請求項４に係る養生シートとメッシュシートの複合シートは、請求項１または請求項２に記載の養生シートとメッシュシートの複合シートであって、前記養生シートと前記メッシュシートまたは前記組合せメッシュシートは、前記第１の結束用リングと前記第２の結束用リングが互いに嵌合することにより一体とされる、ことを特徴としている。
また、本願請求項５に係る養生シートとメッシュシートの複合シートは、請求項１ないし請求項４のいずれかに記載の養生シートとメッシュシートの複合シートであって、前記養生シートの外周縁と前記メッシュシートまたは前記組合せメッシュシートの外周縁には、雌型、雄型からなる一対の係止具が取着され該一対の係止具が互いに係着することにより一体とされる、ことを特徴としている。
そして、本願請求項６に係る養生シートとメッシュシートの複合シートは、請求項５に記載の養生シートとメッシュシートの複合シートであって、前記一対の係止具はスナップ、ホック、ボタンとボタンホールおよび面ファスナーからなるグループから選択される少なくとも１つである、ことを特徴としている。
【考案の効果】
【００１０】
本願請求項１に係る考案では、軽量性、防水性、取り扱いの容易性に優れている養生シートと軽量性、耐摩擦性に優れているメッシュシートを重ね合わせた複合シートとしている。したがって、単管足場や単管上屋に当接する面をメッシュシートとすることにより、耐摩擦性に優れたメッシュシートの利点を活かした養生用のシートとすることができる。また、養生シートの両面を２枚のメッシュシートで挟んだサンドイッチ状の複合シートとしても良いことは勿論である。
そして、養生シートの第１の結束用リングとメッシュシートの第２の結束用リングとは、その大きさおよび穿設間隔が略同一であるので、養生シートとメッシュシートを重ね合わせたときには、第１の結束用リングと第２の結束用リングの穿設位置は一致する。
なお、結束紐とは、繊維から作られた紐状物あるいは金属製の線状物等の結束に適した物をいう。
【００１１】
また、本願請求項２に係る考案では、メッシュシートは、複数枚の同形のメッシュシートからなる組合せメッシュシートとしている。すなわち、メッシュシートは、養生シートの巾方向および／または長さ方向を等分した大きさとなっていて、メッシュシート１枚の大きさは、養生シート１枚を基準として１／２、１／３、１／４、・・・の大きさとなる。したがって、所定の長さを基本単位（モジュール）として、養生シートおよびメッシュシートの大きさを規格化することができるので、規格化された複数の大きさのシートを組み合わせることにより、現場毎に形状や大きさの異なる単管足場や単管上屋であっても、あらゆる現場に対応することができる。
【００１２】
そして、本願請求項３に係る考案では、養生シートとメッシュシートまたは組合せメッシュシートとは、第１の結束用リングと第２の結束用リングに挿通される結束紐により結束されて一体とされる。単管足場や単管上屋にこの複合シートを取付ける場合は、第１の結束用リングと第２の結束用リングに結束紐を挿通し、さらに、単管足場や単管上屋を組み立てている単管パイプに結束紐で結束することになるが、予め養生シートとメッシュシートまたは組合せメッシュシートとを結束紐で結束しておけば、単管足場や単管上屋に複合シートを取付ける作業の能率向上を図ることができる。
【００１３】
さらに、本願請求項４に係る考案では、養生シートとメッシュシートまたは組合せメッシュシートとは、第１の結束用リングと第２の結束用リングが互いに嵌合することにより一体とされる。したがって、第１の結束用リングと前記第２の結束用リングとを嵌め合せるだけで一体とされるので、本願請求項３に係る考案と異なり、予め結束紐で養生シートとメッシュシートとを一体とする必要がない。
【００１４】
また、本願請求項５および請求項６に係る考案では、養生シートの外周縁とメッシュシートの外周縁には、雌型、雄型からなる一対の係止具が取着され、一対の係止具が互いに係止することにより一体とされる。そして、この一対の係止具は、スナップ、ホック、ボタンとボタンホール、または面ファスナーとしているから、いわばワンタッチで養生シートとメッシュシートとを一体とすることができる。
【考案を実施するための最良の形態】
【００１５】
本考案を実施するための最良の形態に係る実施例１および実施例２について、図１および図４に基づいて説明する。ここで、図１は、実施例１に係る養生シートとメッシュシートの複合シート全体組立図、図２は、実施例１に係る第１の結束用リングと第２の結束用リングの詳細図であり、図２（ａ）は平面図、図２（ｂ）は図２（ａ）のII矢視断面図、図３は、実施例２に係る養生シートとメッシュシートの複合シート全体組立図、図４は、実施例２に係る第１の結束用リングと第２の結束用リングの詳細図であり、図４（ａ）は平面図、図４（ｂ）は図４（ａ）のIV矢視断面図、である。
【００１６】
図１および図４において、符号１は実施例１に係る養生シートとメッシュシートの複合シート、符号２は実施例２に係る養生シートとメッシュシートの複合シート、符号１１は実施例１に係る養生シート、符号１２は実施例２に係る養生シート、符号１４は養生シートの外周縁、符号１６は実施例１に係る第１の結束用リング、符号１８は実施例２に係る第１の結束用リング、符号１８１は実施例２に係る第１の結束用リング本体、符号１８２は実施例２に係る第１の結束用リング嵌合部、符号２０は面ファスナー、符号３１は実施例１に係る組合せメッシュシート、符号３２は実施例２に係る組合せメッシュシート、符号３４はメッシュシート、符号３６はメッシュシートの外周縁、符号３８は第２の結束用リング、符号４０は結束紐、である。
【実施例１】
【００１７】
まず、実施例１に係る養生シートとメッシュシートの複合シート１（以下、「複合シート１」という。）について、図１および図２を基に説明する。
【００１８】
複合シート１は、養生シート１１と組合せメッシュシート３１とから構成されている。養生シート１１は、通称ブルーシートと呼ばれるポリエチレン樹脂製のシートであり、その大きさは巾×長さが、３，６００ｍｍ×５，４００ｍｍあるいは５，４００ｍｍ×７、２００ｍｍとなっていて、９００ｍｍを基本単位としている。そして、養生シート１１の外周縁１４は、養生シート１１を折り返して縫着、あるいは溶着されることにより形成されている。また、外周縁１４には、複数の第１の結束用リング１６が略等間隔に穿設されていて、第１の結束用リング１６の中心部は結束紐等が挿通される挿通孔となっている。そして、外周縁１４の四隅には、雌雄の一対の面ファスナー２０の片方が縫着されているが、面ファスナー２０は外周縁１４の四隅でなく、外周縁１４の任意の位置に縫着しても良いことは勿論である。また、面ファスナー２０の代わりに、雌型、雄型からなる一対の係止具として、スナップ、ホック、ボタンあるいはボタンホールとしても良いことは勿論であり、さらには、これらの一対の係止具はなくとも良い。
【００１９】
組合せメッシュシート３１は、同形の４枚のメッシュシート３４から構成されていて、それぞれのメッシュシート３４は、ポリエチレン樹脂から作られた繊維をメッシュ状に編み込んだシートであり、メッシュシート３４の外周縁３６は、メッシュシート３４を折り返して縫着あるいは溶着されることにより形成されている。そして、外周縁３６には、複数の第２の結束用リング３８が略等間隔に穿設されていて、第２の結束用リング３８の中心部は、結束紐等が挿通される挿通孔となっている。また、４枚のメッシュシート３４は互いに第２の結束用リング３８を介して結束紐４０により縛着されて、養生シート１１と同一の大きさに形成されている。したがって、メッシュシート３４の大きさは巾×長さが、１，８００ｍｍ×２,７００ｍｍおよび２,７００ｍｍ×３,６００ｍｍとなっている。
【００２０】
そして、養生シート１１の外周縁１４に対応して、外周縁３６の四隅には、雌型、雄型の一対の面ファスナーの他方（図示外）が縫着されているが、面ファスナーは外周縁３６の四隅でなくとも良いこと、雌型、雄型からなる一対の係止具として、スナップ、ホック、ボタンあるいはボタンホールとしても良いことは養生シート１１の場合と同様である。
【００２１】
なお、実施例においては、メッシュシート３４の大きさは、養生シート１１の巾方向および長さ方向をそれぞれ２等分にしたものとしているが、養生シート１１の巾方向および長さ方向をそれぞれ３等分としても良く、また、養生シート１１の巾方向のみ、あるいは、長さ方向のみを２等分あるいは３等分としても良いことは勿論であり、さらには、メッシュシート３４の大きさを、養生シート１１と同一としても良いことは勿論である。
【００２２】
そして、養生シート１１と組合せメッシュシート３１とを重ね合わせると、第１の結束用リング１６と第２の結束用リング３８の位置は一致し、それぞれのシートの四隅の面ファスナー同士を押圧することにより、複合シート１が作られる。なお、面ファスナー２０を外周縁１４に縫着していない場合や面ファスナー２０を外周縁１４に縫着している場合であっても複合シート１の重なり合いをより強固にしたい場合には、適当な位置の第１の結束用リング１６と第２の結束用リング３８とを、結束紐４０で縛着させる。
【００２３】
つぎに複合シート１の使用方法の例について説明するが、ここでは、市街地における一般住宅の建築工事を例にとって説明する。
布基礎などの基礎の上部に土台、柱、梁等の骨組みをした後、建物の周囲に単管足場を組み、必要に応じて、養生シートで覆うことがおこなわれる。また、建築中の建物に雨が吹き込むのを防ぐため、あるいは、雨天でも工事を進めるために、単管上屋を組んでこの上屋を屋根材として養生シートで葺くことをおこなう場合もある。
【００２４】
単管足場の多くは、建地、布地とも１，８００ｍｍ間隔の井桁状に組まれていて、布地の単管パイプを２本とした抱足場や、建地にブラケットを取付けた一側足場などとすることが多い。複合シート１は、長さ方向に穿設された第１の結束用リング１６および第２の結束用リング３８に結束紐４０を挿通して建地の単管パイプに結束し、巾方向に穿設された第１の結束用リング１６および第２の結束用リング３８に結束紐４０を挿通して布地の単管パイプに結束することにより、単管足場に複合シート１を張ることができる。
【００２５】
単管上屋は、単管足場の上部に単管パイプで小屋組みされる。そして、市街地における一般住宅の間口が３，６００ｍｍ（２間）程度の小規模の住宅建築現場では、単管足場の一方の桁行方向の最上部の布地の単管パイプに、複合シート１の一方の巾方向の第１の結束用リング１６および第２の結束用リング３８に結束紐４０を挿通して結束し、単管上屋の棟木に相当する単管パイプ上を経由させて、他方の桁行方向の最上部の布地の単管パイプに巾方向の第１の結束用リング１６および第２の結束用リング３８に結束紐４０を挿通して結束する。そして、単管上屋の垂木に相当する単管パイプに長さ方向の第１の結束用リング１６および第２の結束用リング３８に結束紐４０を挿通して結束することにより、単管上屋に複合シート１を葺くことができる。
【００２６】
また、間口が３，６００ｍｍ（２間）以上の住宅建築現場では、一方の屋根面に対し、一方の桁行方向の最上部の布地の単管パイプに、複合シート１の一方の巾方向の第１の結束用リング１６および第２の結束用リング３８に結束紐４０を挿通して結束し、単管上屋の棟木に相当する単管パイプに他方の巾方向の第１の結束用リング１６および第２の結束用リング３８に結束紐４０を挿通して結束する。そして、他方の屋根面に対しても同様にして複合シート１を葺くことができる。
【００２７】
以上の方法により、建物の周囲の単管足場に複合シート１を張り、あるいは、単管上屋に複合シート１を葺くことができるが、取付けに際しては、単管足場や単管上屋に接する複合シート１の面を組合せメッシュシート３１とする。このようにすることにより、耐摩擦性に優れたメッシュシート３４の利点を活かし、軽量性、防水性、取り扱いの容易性において優れた養生シート１１の利点を活かすことができる。
さらに、単管上屋を葺く複合シート１を、養生シート１１の両面を２枚の組合せメッシュシート３１、３１で挟んでサンドイッチ状とすることにより、紫外線に対し劣化しやすい養生シート１１を紫外線から守り、複合シート１の寿命を延ばすことができる。
【実施例２】
【００２８】
つぎに、実施例２に係る養生シートとメッシュシートの複合シート（以下、「複合シート２」という。）について、図３および図４を基に説明するが、複合シート１と複合シート２との構成上の相違は、第１の結束用リングにあるので、相違する第１の結束用リングを中心として説明する。
【００２９】
複合シート２は、養生シート１２と組合せメッシュシート３２とから構成されている。養生シート１２の構成は、第１の結束用リング１８を除いて養生シート１１の構成と略同様であるので、第１の結束用リング１８以外の説明を省略するが、養生シート１２では、面ファスナー２０が縫着されていない。しかしながら、養生シート１１と同様に、面ファスナー、スナップ、ホック、ボタンあるいはボタンホールのような雌型、雄型からなる一対の係止具の一方を取着しても良いことは勿論である。
【００３０】
第１の結束用リング１８は、第１の結束用リング１６と同様に養生シート１２の外周縁１４に略等間隔に穿設されている。第１の結束用リング１８は、第１の結束用リング本体１８１と第１の結束用リング嵌合部１８２から構成されていて、第１の結束用リング本体１８１は、第１の結束用リング１６と同様の形状である。また、第１の結束用リング嵌合部１８２は、第１の結束用リング本体１８１の挿通孔の内周縁から円筒状に立設されていて、その先端はやや外側に開いた状態となっていて、第１の結束用リング嵌合部１８２は第２の結束用リング３８の挿通孔に嵌合するようになっている。
そして、第２の結束用リング３８に第１の結束用リング嵌合部１８２を当接させて、第１の結束用リング１８を第２の結束用リング３８に押入させると、第１の結束用リング嵌合部１８２は第２の結束用リング３８の挿通孔に嵌合し、第１の結束用リング１８と第２の結束用リング３８は嵌着するようになっている。
【００３１】
組合せメッシュシート３２は、組合せメッシュシート３１と同一の構成であるので、その説明を省略するが、組合せメッシュシート３２では養生シート１２に面ファスナー２０が縫着されていないため、組合せメッシュシート３２にも面ファスナーは縫着されていない。ただし、養生シート１２に雌型、雄型からなる一対の係止具の一方が取着される場合には、組合せメッシュシート３２にも雌型、雄型からなる一対の係止具の他方が取着されることは勿論である。
【００３２】
そして、養生シート１２と組合せメッシュシート３２とを重ね合わせると、第１の結束用リング１８と第２の結束用リング３８の位置は一致し、第１の結束用リング１８と第２の結束用リング３８同士を押圧することにより、第１の結束用リング１８と第２の結束用リング３８とが嵌着して、複合シート２が作られる。なお、必要に応じて、適当な位置の第１の結束用リング１８と第２の結束用リング３８とを、結束紐４０で縛着させることにより、複合シート２の重なり合いは、より強固になる。
【００３３】
複合シート２の使用方法については、複合シート１の使用方法と同様であるので、その説明を省略する。
【図面の簡単な説明】
【００３４】
【図１】図１は、実施例１に係る養生シートとメッシュシートの複合シート全体組立図である。
【図２】図２は、実施例１に係る第１の結束用リングと第２の結束用リングの詳細図であり、図２（ａ）は平面図、図２（ｂ）は図２（ａ）のII矢視断面図である。
【図３】図３は、実施例２に係る養生シートとメッシュシートの複合シート全体組立図である。
【図４】図４は、実施例２に係る第１の結束用リングと第２の結束用リングの詳細図であり、図４（ａ）は平面図、図４（ｂ）は図４（ａ）のIV矢視断面図である。
【符号の説明】
【００３５】
１  実施例１に係る養生シートとメッシュシートの複合シート
２  実施例２に係る養生シートとメッシュシートの複合シート
１１  実施例１に係る養生シート
１２  実施例２に係る養生シート
１４  養生シートの外周縁
１６  実施例１に係る第１の結束用リング
１８  実施例２に係る第１の結束用リング
２０  面ファスナー
３１  実施例１に係る組合せメッシュシート
３２  実施例２に係る組合せメッシュシート
３４  メッシュシート
３６  メッシュシートの外周縁
３８  第２の結束用リング
４０  結束紐
【図１】
0003121475.tif 000003
【図２】
0003121475.tif 000004
【図３】
0003121475.tif 000005
【図４】
0003121475.tif 000006